(57)【要約】   複数のディスクドライブ２を搭載するための、ディスクドライブ搭載用組立体１が提供される。当該組立体１は、第一及び第二の互いに対向する端面と、互いに対向する側壁と、天面と、底面と、を有するケーシング３を備える。ドライブカード１０はケーシング３内に備えられる。それぞれのドライブカード１０はディスクドライブ２を受け容れるためのディスクドライブ受容部２１を有し、電源及びディスクドライブ２へのデータコネクタのうち少なくとも一つを供する。バッフル装置列３０、３１、３２、３３は、ケーシング３の第一端において、ケーシング３に入り込む空気の流れを分離し、空気は、それぞれのドライブカード１０のディスクドライブ受容部２１にわたって流れ込む。ドライブカード１０とバッフル装置列３０、３１、３２、３３とは、空気が、それぞれのドライブカード１０のディスクドライブ受容部２１に並行に流れ込むように配置される。係る手段において、それぞれのディスクドライブ受容部２１は、搭載用組立体１の他のディスクドライブ受容部１２には流れ込ませないように、空気を受け容れる。
2008535128.tif 000002
【特許請求の範囲】
【請求項１】
複数のディスクドライブを搭載するためのディスクドライブ搭載用組立体であって、該組立体は、
第一及び第二の互いに対向する端面と、互いに対向する側壁と、天面と、底面と、を有するケーシングと、
該ケーシング内の複数のドライブカードであって、前記ディスクドライブを受け容れるためのディスクドライブ受容部をそれぞれ有し、前記ディスクドライブへの電源コネクタ及びデータコネクタのうちの少なくとも一つを供するための、ドライブカードと、
それぞれの前記ドライブカードの前記ドライブカード受容部へ空気を通すように、前記ケーシングの第一端において、該ケーシングへと入り込む空気の流れを分離するためのバッフル装置列と、を具備し、
前記ドライブカード及び前記バッフル装置列は、空気が、それぞれの前記ドライブカードの前記ディスクドライブ受容部へ、平行にのみ流れるように配置されることによって、各前記ディスクドライブ受容部が、前記組立体の他のディスクドライブ受容部へ流れ込ませることなく空気を受けとることを特徴とする、ディスクドライブ搭載用組立体。
【請求項２】
少なくともいくつかの前記ドライブカードが、前記ケーシングの前記天面と前記底面との間において、同じ高さで互いに隣接して配置され、
少なくとも一つのバッフルを具備する前記バッフル装置列が、前記ケーシングの前記天面と前記底面との間において、前記ケーシングの前記側壁に向かって前記空気の流れを分離するように配置されることによって、前記隣接したドライブカードそれぞれに、分離した空気の流れを供することを特徴とする、請求項１に記載のディスクドライブ搭載用組立体。
【請求項３】
少なくともいくつかの前記ドライブカードが、前記ケーシングの前記二つの側壁の間において、同じ横位置で互いに隣接して配置され、
少なくとも一つのバッフルを具備する前記バッフル装置列が、前記ケーシングの前記二つの側壁の間において、前記ケーシングの前記天面及び前記底面に向かって前記空気の流れを分離するように配置されることによって、前記隣接したドライブカードそれぞれに、分離した空気の流れを供することを特徴とする、請求項１に記載のディスクドライブ搭載用組立体。
【請求項４】
少なくとも第一組のドライブカードが、前記ケーシングの前記天面と前記底面との間において、同じ高さで互いに隣接して配置され、少なくとも第一のバッフルを具備する前記バッフル装置列が、前記ケーシングの前記天面と前記底面との間において、前記ケーシングの前記側壁に向かって前記空気の流れを分離するように配置されることによって、前記第一組の隣接するドライブカードそれぞれに、分離した空気の流れを供し、
さらに、少なくとも第二組のドライブカードが、前記ケーシングの前記二つの側壁の間において、同じ横位置で互いに隣接して配置され、少なくとも第二のバッフルを具備する前記バッフル装置列が、前記ケーシングの前記二つの側壁との間において、前記ケーシングの前記天面及び前記底面に向かって前記空気の流れを分離するように配置されることによって、前記第二組の隣接するドライブカードそれぞれに、分離した空気の流れを供することを特徴とする、請求項１に記載のディスクドライブ搭載用組立体。
【請求項５】
前記ケーシングの前記第一端面へ、前記ドライブカードを越えて流れてくる空気を戻すための空気流れ返し経路を具備することを特徴とする、請求項１〜４のうちのいずれかに記載のディスクドライブ搭載用組立体。
【請求項６】
前記ディスクドライブが、前記ケーシングの前記側壁を通して、それぞれの前記ドライブカードへと挿入され、又は、それぞれの前記ドライブカードから取り外されることが可能であるように、前記ケーシングの片方又は双方の前記側壁に、複数のスロットを備えることを特徴とする、請求項１〜５のうちのいずれかに記載のディスクドライブ搭載用組立体。
【請求項７】
複数のディスクドライブを搭載するためのディスクドライブ搭載用組立体であって、該組立体は、
第一及び第二の互いに対向する端面と、互いに対向する側壁と、天面と、底面と、を有するケーシングと、
該ケーシング内の複数のドライブカードであって、前記ディスクドライブを受け容れるためのディスクドライブ受容部をそれぞれ有し、該ディスクドライブへの電源コネクタ及びデータコネクタのうちの少なくとも一つをそれぞれ供する、ドライブカードと、を具備し、
少なくとも一つの前記ドライブカードは、少なくとも一つのアイソレータによって、前記ケーシング内に遊動自在に取り付けられ、
少なくとも一つの前記ドライブカードは、前記ディスクドライブが該少なくとも一つのドライブカードへと挿入されたとき、前記ケーシング内の同一形状の爪部と係合するように構成、配置された少なくとも第一の爪部を有し、それにより、前記ディスクドライブの挿入中、前記少なくとも一つのドライブカードが前記ケーシング内に位置することを特徴とする、ディスクドライブ搭載用組立体。
【請求項８】
前記少なくとも一つのドライブカードが、該少なくとも一つのドライブカードへと前記ディスクドライブを挿入するために使用されるロボットアームの同一形状の爪部を受け容れることができる、第二の爪部を備えることを特徴とする、請求項７に記載のディスクドライブ搭載用組立体。
【請求項９】
前記ディスクドライブが、前記ケーシングの前記側壁を通して、それぞれの前記ディスクドライブカードへと挿入され、又は、それぞれの前記ディスクドライブカードから取り外されることが可能であるように、前記ケーシングの前記側壁の片方又は双方に複数のスロットを具備することを特徴とする、請求項７又は８に記載のディスクドライブ搭載用組立体。
【請求項１０】
複数のディスクドライブを搭載可能であるディスクドライブ搭載用組立体へとディスクドライブを搭載する方法であって、
該組立体は、第一及び第二の互いに対向する端面と、互いに対向する側壁と、天面と、底面と、を有するケーシングと、該ケーシング内の複数のドライブカードであって、それぞれがディスクドライブを受け容れるためのディスクドライブ受容部を有し、前記ディスクドライブへの電源コネクタ及びデータコネクタのうち少なくとも一つを供するドライブカードと、を具備し、少なくとも一つの前記ドライブカードが、少なくとも一つのアイソレータによって、前記ケーシング内に遊動自在に取り付けられ、
前記方法は、前記ディスクドライブが前記少なくとも一つのドライブカードへと挿入されたとき、前記ケーシング内にある同一形状の爪部と、前記少なくとも一つのドライブカードの少なくとも第一の爪部を係合させるようにして、そのことで、前記ディスクドライブの挿入中、前記少なくとも一つのドライブカードが前記ケーシング内に位置することを特徴とする、ディスクドライブ搭載方法。
【請求項１１】
前記第一の係合ステップよりも先に、前記少なくとも一つのドライブカードがロボットアームと対応して位置するように、該ロボットアームの爪部が、該少なくとも一つのドライブカードの第二の爪部と係合し、その後、該ロボットアームを前記ケーシングの内部に向かって押し込むことで前記第一の係合ステップへと移行することを特徴とする、請求項１０に記載のディスクドライブ搭載方法。
【請求項１２】
前記ディスクドライブが、前記ケーシングの前記側壁にあるスロットを通して、前記ディスクドライブカードへと挿入され、又は、前記ディスクドライブカードから取り外されることを特徴とする、請求項１０又は１１に記載のディスクドライブ搭載方法。
【発明の詳細な説明】
【技術分野】
【０００１】
本発明は、複数のディスクドライブを搭載するためのディスクドライブ搭載用組立体、及び、ディスクドライブ搭載用組立体へとディスクドライブを搭載する方法、に関する。
【背景技術】
【０００２】
近年、ポータブルＭＰ３プレーヤーやデジタルカメラ等、小型で持ち運びに便利であるデータ保存体の必要性が高まるにつれて、小型ハードディスクドライブについても進化してきた。たとえば、数々の製造業者が１インチ（約２．５ｃｍ）径のハードディスクドライブを生産しており、これは現在の「通常の」工業規格である３．５インチ（約８．７５ｃｍ）径のハードディスクドライブとは異なっている。当然、すでに使用に供されているディスクドライブ製造装置の大半が、３．５インチ径の製造及び試験を行うように設計されている。本発明は、主に、上述の旧型製造装置及び旧型試験装置を、より最新式である１インチ径ディスクドライブへ使用可能とすることに関する。
【発明の開示】
【課題を解決するための手段】
【０００３】
本発明の第一の形態によると、複数のディスクドライブを搭載するためのディスクドライブ搭載用組立体が提供され、当該組立体は、
第一及び第二の互いに対向する端面と、互いに対向する側壁と、天面と、底面とを備えるケーシングと、
ケーシング内の複数のドライブカードであって、それぞれが、ディスクドライブを受け容れるためのディスクドライブ受容部を備え、ディスクドライブへの電源及びデータコネクタのうちの少なくとも一つを供するドライブカードと、
それぞれのドライブカードのディスクドライブ受容部へ空気を行き渡らせるように、ケーシングの第一端において、ケーシングに入り込む空気の流れを分離するためのバッフル装置列と、を具備し、
当該ドライブカード及び当該バッフル装置列は、ドライブカードそれぞれのディスクドライブ受容部に平行にのみ空気が流れるように配置され、それによって、それぞれのディスクドライブ受容部は空気を受け取り、当該空気は搭載用組立体の他のディスクドライブ受容部へと通らない。
【０００４】
周知であるように、製造過程におけるディスクドライブの試験中、ディスクドライブは、当該ディスクドライブを交互に通過する高温空気及び低温空気によって、熱的ストレスを受ける。本発明の形態では、単一の搭載用組立体は複数のディスクドライブを搭載可能であり、そこから、それぞれのディスクドライブへと実質的に分けられた空気の流れを供することができる。適切に設計されれば、一つの比較的大きなディスクドライブ（例えば３．５インチ径のディスクドライブ）の試験が可能であるように組み立てられ、配置される旧型試験装置のテストスロット内に、複数の比較的小さなディスクドライブ（例えば１インチ径のディスクドライブ）を収容可能とするアダプターとして、組立体はさらに使用可能である。
【０００５】
少なくともいくつかのドライブカードは、ケーシングの天面と底面との間において、同じ高さで、互いに隣接するように配置されてもよい。また、少なくとも一つのバッフルを具備するバッフル装置列は、ケーシングの側壁に向かって上述した空気の流れを分離するために、ケーシングの天面と底面との間に配置されてもよく、このことによって、上述した隣接するドライブカードそれぞれに分離された空気の流れを供する。
【０００６】
少なくともいくつかのドライブカードは、ケーシングの対向する側壁の間で、同じ横位置で、互いに隣接して配置されてもよい。また、少なくとも一つのバッフルを具備するバッフル装置列は、ケーシングの天面及び底面に向かって上述した空気の流れを分離するために、ケーシングの対向する側壁の間に配置されてもよく、このことによって、上述した隣接するドライブカードそれぞれに分離された空気の流れを供する。
【０００７】
好ましい形態において、少なくとも一組のドライブカードは、ケーシングの天面と底面との間の同じ高さにおいて、互いに隣接して配置され、少なくとも一組のバッフルを具備するバッフル装置列は、ケーシングの対向する側壁に向かって上述した空気流れを分離するために、ケーシングの天面と底面との間に配置され、このことによって、隣接する一組のドライブカードそれぞれに分離空気流れを供することができる。また、好ましい形態において、少なくとももう一組のドライブカードはケーシングの対向する側壁の間で、横に同等となるような位置に、互いに隣接して配置され、少なくとももう一組のバッフルを具備するバッフル装置列は、ケーシングの天面及び底面に向かって上述した空気の流れを分離するために、ケーシングの対向する側壁の間に配置され、このことによって、上述した隣接するもう一組のドライブカードそれぞれに分離空気流れを供することができる。
【０００８】
また、一組のドライブカードがもう一組のドライブカード内にあってもよいし、その逆であってもよいと解されるであろう。
【０００９】
一つの好ましい形態においては、厳密に四つのドライブカードがあり、それぞれが一つのディスクドライブを受け容れ、また、該カードは、ケーシングの第一端面から見たとき、正方形状、又は、長方形状に配置される。
【００１０】
ディスクドライブ組立体は、ディスクドライブを通ってケーシングの第一端へと通る空気を戻すために、空気流れ返し通路を具備していることが好ましい。このことにより、当該空気を循環することができ、したがって、エネルギー効率を向上させ、外部環境へ当該空気を、制御せずに排出することを避けることにつながる。
【００１１】
好ましい一形態として、ディスクドライブ組立体は、ディスクドライブがケーシングの側壁を通してディスクドライブカードに挿入される、又は、取り外されることができるように、ケーシングの片方又は両方の側壁において、複数のスロットを具備する。このディスクドライブの側面導入路による挿入は、空気の流れを分離するために、バッフルを配置することを容易にし、該配置で、バッフルが供される。
【００１２】
本発明の第二の形態によると、複数のディスクドライブを搭載するためのディスクドライブ搭載用組立体が供される。当該ディスクドライブ搭載用組立体は、
第一及び第二の互いに対向する端面と互いに対向する側壁と天面と底面とを備えるケーシングと、
当該ケーシング内の複数のドライブカードであって、ディスクドライブを受け容れるためのディスクドライブ受容部を有し、当該ディスクドライブへの電源及びデータコネクタのうち少なくとも一つを備えるドライブカードと、を具備し、
当該ドライブカードの少なくとも一つが、少なくとも一つのアイソレータによってケーシング内に遊動自在に搭載され、
さらに、少なくとも一つのドライブカードは、ディスクドライブが当該少なくとも一つのドライブカードへと挿入されたとき、ケーシング内の同一形状の爪部と係合するように構成され配置された、少なくとも第一の爪部を有し、そのことによって、少なくとも一つのドライブカードは、ディスクドライブ挿入時に、ケーシング内に位置する。
【００１３】
本発明の形態では、少なくとも一つのドライブカードを遊動自在に搭載することが、複数のドライブカード内に搭載されるディスクドライブ間の混信を減らすのに役立つと同時に、少なくとも一つのドライブカードに搭載されたディスクドライブを通り過ぎる、又は、与えられる振動を減衰させるのに役立つ。好ましくは、全てのドライブカードがケーシング内に遊動自在に搭載され、また、好ましくは、全てのドライブカードは、ディスクドライブが該ドライブカードに挿入されているとき、ケーシング内の同一形状の爪部と係合するように構成され、又は、配置される少なくとも一つの爪部を有する。
【００１４】
上述の少なくとも一つのドライブカードは、当該少なくとも一つのドライブカードへとディスクドライブを挿入するために使用されるロボットアームの同一形状の爪部を受け容れられるような、第二の爪部を有することが好ましく、そのことにより、当該少なくとも一つのドライブカードは、当該ロボットアームと対応して位置する。
【００１５】
実施例において、好ましい形態としては、ロボットアームの爪部は、初めに第二の爪部と係合し、ドライブカードは当該アームと対応するように位置する。そして、当該ロボットアームはケーシングへと押し込まれ、このことで、第一の凹部が、ドライブカードがケーシングと対応して位置するように、ケーシング内の爪部と係合する。ロボットアームの爪部は、単純に設計されたピンであればよく、ドライブカードの第二の爪部は隠れた凹部であればよい。
【００１６】
搭載用組立体は、ケーシングの一つ又は両方の側壁に、複数のスロットを具備することが好ましく、このことでディスクドライブは、ケーシングの側壁を通して、それぞれのディスクドライブカードへと挿入され、又は、ディスクドライブカードから取り外されることができる。
【００１７】
本発明の第三の形態によると、複数のディスクドライブを搭載可能であるディスクドライブ搭載用組立体へのディスクドライブの搭載方法が提供される。当該搭載用組立体は、第一及び第二の互いに対向する端面と、互いに対向する側壁と、天面と、底面と、を有するケーシングを備える。当該ケーシング内には複数のドライブカードがあり、当該複数のドライブカードはそれぞれ、ディスクドライブを受け容れるためのディスクドライブ受容部を有し、ディスクドライブへの電源及びデータコネクタのうち少なくとも一つを供する。少なくとも一つのドライブカードは、少なくとも一つのアイソレータにより、ケーシング内に遊動自在に搭載される。
また搭載方法としては、ディスクドライブが当該少なくとも一つのドライブカードへと挿入されたとき、当該少なくとも一つのドライブカードにある少なくとも第一の同一形状の爪部が、ケーシング内にある爪部と、係合することによる。このことで、当該少なくとも一つのドライブカードは、ディスクドライブの挿入時に、ケーシング内に位置する。
【００１８】
上述の第一の係合ステップに先立って、搭載方法として、ロボットアームに対応して当該少なくとも一つのドライブカードが位置するように、ロボットアームにある爪部が、当該少なくとも一つのドライブカードの第二の爪部と係合することが好ましい。そして、ケーシングの内部へと当該ロボットアームを押しこむことで、上述の第一の係合ステップへと移行する。
【００１９】
好ましくは、ディスクドライブは、ケーシングの側壁にあるスロットを通してディスクドライブカードへと挿入され、又は、ディスクドライブカードから取り外される。
【発明を実施するための最良の形態】
【００２０】
図によると、複数のディスクドライブ２を搭載するためのディスクドライブ搭載用組立体１は、ケーシング３を備えており、当該ケーシング３は、第一及び第二の対向する端面４、５と対向する側壁６、７と天面８と底面９とを有している。具体的に例示すると、ケーシング３は４つの１インチ径ディスクドライブ２を搭載可能であるようにされている。当該組立体１はそれぞれのディスクドライブ２に対する各ドライブカード１０を有している。ドライブカード１０は二つの隣接するカラム内に配置され、当該カラムはそれぞれ２つのドライブカード１０を備えている。中央隔壁１１はケーシング３内に供されている。
【００２１】
好ましい形態において、ドライブカード１０はケーシング３内に遊動自在に支持されている。この目的のために、それぞれのドライブカード１０に対して、３つのアイソレータ１２が供されている。図３に最もよく表れているように、それぞれのアイソレータ１２は、各側壁６、７及び隔壁１１に供される同一形状溝１４に受け容れられる方の側に、フレア状の基部１３を有している。組立性を考慮して、アイソレータ１２は溝１４に沿って上下にスライドできることが好ましい。フレア状基部１３と反対側にあるものは、Ｔ形状基部１５（図７）であり、当該Ｔ形状基部１５は、ドライブカード１０内の同一形状溝１６に受け容れられる。同様に、組立性を考慮して、アイソレータ１２はドライブカード１０において当該溝１６に沿って上下にスライドできることが好ましい。
【００２２】
それぞれのアイソレータ１２は、さらに、一組のスプリングアーム１７を有し、当該スプリングアーム１７は、アイソレータ１２本体から、フレア状の基部１３とＴ形状基部１５と弧状外部とを接続している。スプリングアーム１７はレスト位置となるように配置され、フレア状基部１３の反対面１８、１８’とＴ形状基部１５とは互いに離されて保持されている。したがって、組み立てられたとき、ドライブカード１０の側面における動作（垂直方向軸での当該ドライブカード１０の回転動作を含む。）は、アイソレータ１２のスプリングアーム１７によって、まず制御される。当該アイソレータ１２はエラストマーのような弾性材料から形成されることが好ましい。従って、当該アイソレータ１２は、ドライブカード１０の取り付けにおいて、回転し易さを供し、当該ドライブカード１０は、スプリングアーム１７の収縮により、低い抵抗で、最初に動くことができる。ある所定の量のドライブカード１０の動作の後、フレア状基部１３の反対面１８、１８’とＴ形状基部１５とは、互いに隣接し、このことが、係る隣接点におけるドライブカード１０の搭載のし難さを相当に増加させる。このようにドライブカード１０を遊動自在に搭載することは、各ドライブカード１０がケーシング３内の他の全てのドライブカード１０から実質的に隔離されることを事実上意味し、従って、ディスクドライブ２が使用に供されている間、当該ディスクドライブ１０間の混信を減らすのに役立つ。
【００２３】
次に示されるように、各ドライブカード１０を搭載するためのアイソレータ１２はドライブカード１０の一端に向かって配置され、ドライブカード１０の一部分であって、ディスクドライブ２を受け容れる部分からは離されて配置される。このことにより、ドライブカード１０の回転中心であって、本実施形態においては主としてアイソレータ１２の位置によって決定される回転中心は、ディスクドライブ２の設置個所の外側となる。このことは、使用中、ドライブカード１０の動作ゆえに起こり得る位置誤差であって、ハードディスクと、ディスクドライブ２の読み込み／書き込みヘッドを備えるアームと、がドライブカード２の動作に反応して、反発的に動作することにより生じる位置誤差を減らすという目的に適っている。このことについては、係属中であるＰＣＴ特許出願、出願番号ＰＣＴ／ＧＢ２００６／（代理人による整理番号Ｐ１０３４５ＷＯ）において、より詳細に記載されており、当該ＰＣＴ出願は、本明細書と同様に出願され、当該ＰＣＴ出願の発明の開示内容全体は、本明細書中に参考文献によって組み入れられる。本明細書中にて示される好ましい形態では、四分の一支持体１９が各々のドライブカード１０のディスクドライブ受容部に向かって供される。当該四分の一支持体１９は、端部におけるドライブカード１０及び（存在する場合は）ディスクドライブ２の重量を支えるために、事実上、ドライブカード１０の下にあり、ドライブカード１０の回転中心を決定する機構へ実質的に寄与するものではない。
【００２４】
ディスクドライブ２がドライブカード１０へと挿入され、又は、ドライブカード１０から取り外されることができるように、ケーシング３の各側壁６、７は、各ドライブカード１０のディスクドライブ受容部に隣接し、当該側壁６、７を通りぬける穴又はスロット２０を備えている。実際は、ディスクドライブ２は通常、ロボットアーム（不図示）によって、ドライブカード１０へと挿入され、又は、ドライブカード１０から取り外される。ドライブカード１０はアイソレータ１２により、ケーシング３内に遊動自在に取り付けられているから、ディスクドライブ２の挿入又は取り外し過程中、ケーシング３内においてドライブカード１０の位置を固定できることが望ましい。好ましい形態において、このことは、二つの特徴を有することで達成される。
【００２５】
第一に、ディスクドライブ２がドライブカード１０のディスクドライブ受容部２１に受け入れられた状態である、一つのドライブカード１０を示す。図６に最もよく表れているように、一つの爪部２２がディスクドライブ受容部２１に隣接する、ドライブカード１０のそれぞれの側に供される。組み立てられた組立体１において当該爪部２２は、各々の側壁６、７においてスロット２０に面しており、当該スロット２０を通して視認することができる。また、同一形状の爪部がロボットアームに供される。例示されるように、ドライブカード１０内の爪部２２は隠れた凹部であり、ロボットアームの同一形状の爪部は、スロット２０に上へ供され、ドライブカード１０の爪部２２と係合し、従って、ドライブカード１０はロボットアームにより正確に位置している。
【００２６】
第二の特徴としては、ドライブカード１０がディスクドライブ２の挿入及び取り外し過程の間、ケーシング３内に精密に固定されることが挙げられる。図４及び５に最も明確に表れているように、複数組の爪部２３が、それぞれのドライブカード１０に対して、隔壁１１に供される。これら隔壁の爪部２３は、横断面が通常台形であり、したがって、面取りされた上端及び底面２４と、ドライブカード１０に面する平面２５とを有する。各ドライブカード１０は、同一形状の凹部２６（図７）の形で、同一形状の爪部を有する。ドライブカード１０が、アイソレータ１２のスプリングアーム１７により、中央に配置されるレスト位置では、隔壁１１の爪部２３はドライブカード１０の同一形状の爪部２６とは係合されない。一方で、ディスクドライブ２が挿入されたとき、ドライブカード１０の第一爪部２２とすでに係合しているロボットアームは、ケーシング３の内側に向かってドライブカードを押しこむ。このことで、隔壁１１の爪部２３はドライブカード１０の同一形状の爪部２６と十分に係合し、したがって、ケーシング３内において、ドライブカード１０は（一時的に）固定して取り付けられる。さらに、ケーシング３内のドライブカード１０の位置は、三次元方向全てにおいて把握され、ディスクドライブ２の自動挿入及び取り外しに役立つ。ディスクドライブ２の挿入により、当該ディスクドライブ２とドライブカード１０との間でデータ接続及び電源接続がされなければならないことを考慮すると、ディスクドライブ２がこのように正確で固定的に位置することは特に重要である。
【００２７】
製造においてディスクドライブの試験中、当該ディスクドライブは、通常、広い温度幅で熱的にストレスを受ける。これは、必要により、高温空気又は低温空気をディスクドライブに吹きかけることにより通常成される。通常は、空気は一端からディスクドライブを通過し、次に、当該第一端へディスクドライブの下を通って返ってくる。従って、空気は再循環されるため、エネルギー効率を良くし、外の環境へと空気が排出されることを防ぐ。好ましい組立体１は、旧式の試験装置の単一である本来の空気源を使用しながらも、各ディスクドライブ２に実質的に分離された空気の流れを供するように構成され、配置される。
【００２８】
上述したように、また、特に図３及び８に示されるように、使用中、空気は組立体１の第一端４から入り込む。まず、垂直に配されたバッフル３０が、ケーシング３の隔壁１１の延長上に実際あることが好ましく、当該バッフル３０はケーシングの左右に入ってきた空気の流れを垂直に分離する。ケーシング３内のディスクドライブ２の配置は、隔壁１１について、通常対称であるが、組立体の構造がアンバランスなこと又は不整合なことにより、隔壁１１の片側のディスクドライブ２が、より急激に温度が上昇又は降下しやすくなり、及び／又は、他の側にあるディスクドライブ２よりも大きな温度差が生じやすくなる。従って、垂直に配されたバッフル３０の位置及び形状は、二つの側それぞれに応じて、異なった空気の流量を供するように配されることが好ましい。
【００２９】
本発明の実施形態において、ケーシング３の底面５は、くさび形状の表面３１を有し、当該表面３１は、ケーシング３の本体へと下向きに下がり、ケーシング３内への空気の流れを整えるのに役立つ。
【００３０】
くさび形状の表面３１を通りぬけた後、隔壁１１の双方側の二つの空気流れは、ケーシング３の各側の最底部にあるドライブカード１０によって、水平面において、それぞれ分離される。各ドライブカード１０の先端には、くさび形のバッフル面３２が備えられることが好ましく、当該バッフル面３２は、さらに、ケーシング３の天面側、底面側に二等分に入り込む空気の流れを制御するために用いられることができる。
【００３１】
この時点で、四つの分離された空気の流れが存在し、それぞれが、各ドライブカード１０に対応している。これら四つの空気の流れは、さらに、各ドライブカード１０の先端のすぐ奥側に位置するさらなるくさび形状のバッフル３３により、それぞれ水平面に対して分離され、空気は各ディスクドライブ２の上側及び下側へと流れ込む（図を明確にするため、最終的な空気返し経路については、図８には図示されていない。）。
【００３２】
各バッフル又は空気分離体の位置及び形状は、各ディスクドライブ２に最適な空気流量を供するように、配されることが可能である。通常、ケーシング３へと最初に入りこむ空気流速を考慮し、組立体１の種々の構成要素の幾何図形的配置をも考慮し、さらには、当該組立体１及び／又はディスクドライブ２自体を形作る構成要素の、あらゆる特性をも考慮して、上述のことがなされるであろう。
【００３３】
本発明の実施形態は、図示された例を特に参照することで記載されてきた。しかしながら、本発明の範囲内において、変形及び変更がされ得ると解されるであろう。
【図面の簡単な説明】
【００３４】
【図１】本発明の一つの実施例と合致する、ディスクドライブ搭載用組立体の一例の、斜視図である。
【図２】天面が取り外された状態である、図１の組立体の斜視図である。
【図３】天面が取り外された状態である、図１の組立体を上から見た平面図である。
【図４】上端のドライブカードが取り外された状態である、図１の組立体の斜視図である。
【図５】全てのドライブカードが取り外された状態である、図１の組立体の斜視図である。
【図６】一つのドライブカードについての斜視図であって、一つのディスクドライブが挿入された状態である斜視図である。
【図７】部分的に組み立てられた状態にある図１の組立体を、他端側から見た斜視図である。
【図８】図１の組立体の、側部断面の概略図である。
【図１】
2008535128.tif 000003
【図２】
2008535128.tif 000004
【図３】
2008535128.tif 000005
【図４】
2008535128.tif 000006
【図５】
2008535128.tif 000007
【図６】
2008535128.tif 000008
【図７】
2008535128.tif 000009
【図８】
2008535128.tif 000010
【国際調査報告】
2008535128.tif 000011
2008535128.tif 000012
2008535128.tif 000013
2008535128.tif 000014
2008535128.tif 000015